(57)【特許請求の範囲】
【請求項１】
第１の側面より照明光を出射する長尺状の導光部材と、該導光部材に光を入射する発光部材を備え、前記導光部材の前記第１の側面に対向する第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は前記発光部材からの入射光の方向と斜交していることを特徴とする線状光源ユニット。
【請求項２】
照明光を出射する第１の側面、該第１の側面に対向する第２の側面、前記第１の側面および前記第２の側面と略直交し、水平方向に伸びてこれらの上下方向の幅を仕切る第３の側面および第４の側面を備えた長尺状の導光部材と、該導光部材の長手方向を仕切る端面より該導光部材に光を入射する発光部材を備え、前記第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は、前記第３の側面又は第４の側面に対し３０度〜６０度傾いていることを特徴とする線状光源ユニット。
【請求項３】
照明光を出射する第１の側面、該第１の側面に対向する第２の側面、前記第１の側面および前記第２の側面と略直交し、水平方向に伸びてこれらの上下方向の幅を仕切る第３の側面および第４の側面を備えた長尺状の導光部材と、該導光部材の長手方向を仕切る端面より該導光部材に光を入射する発光部材を備え、前記第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は、前記第３の側面又は第４の側面に対し略４５度傾いていることを特徴とする線状光源ユニット。
【請求項４】
前記Ｒ、Ｇ、ＢのＬＥＤは、前記第１の側面又は第２の側面に略平行又は垂直な方向に重なり合って配設されていることを特徴とする請求項１乃至請求項３のいずれかに記載の線状光源ユニット。
【請求項５】
前記第２の側面に設けた複数の凹溝の断面は略円弧形状又はＶ字形形状であることを特徴とする請求項１乃至請求項４のいずれかに記載の線状光源ユニット。
【請求項６】
面状光源ユニットの照明光を出射する平板状の面状導光板の側面に線状光源ユニットを直接結合し又は一体として、該面状導光板に前記第２の側面からの反射光を入射させることを特徴とする請求項１乃至請求項５のいずれかに記載の線状光源ユニット。
【請求項７】
前記第１の側面、前記第２の側面および前記複数の凹溝の表面は鏡面仕上げ又はシボ等の拡散処理が施されていることを特徴とする請求項１乃至請求項６のいずれかに記載の線状光源ユニット。
【請求項８】
前記第１の側面と前記第２の側面の間隔は前記発光部材から遠ざかるに従って小となることを特徴とする請求項１乃至請求項７のいずれかに記載の線状光源ユニット。
【請求項９】
前記第２の側面、又は前記第２の側面、前記第３の側面及び前記第４の側面に密着又は近接して、反射テープ又は反射板からなる反射部材を配設したことを特徴とする請求項１乃至請求項８のいずれかに記載の線状光源ユニット。
【発明の詳細な説明】
【０００１】
【発明の属する技術分野】
この発明は、液晶パネル等表示装置のバックライトの光源や、複写機、イメージスキャナ、バーコードリーダ等に使用する画像読み取り装置の照明用光源として用いられる線状光源ユニットに関する。
【０００２】
【従来の技術】
近年、表示装置のバックライトの光源や画像読み取り装置の照明用光源として用いられる線状光源ユニットの発光部材としては、発光ダイオード（以下ＬＥＤと言う。）が広く使用されている。かかる装置の小型化にとってＬＥＤが最も適しており、低コスト化にも結びつくことによると考えられる。
【０００３】
かかるＬＥＤ等発光部材を備えた従来の線状光源ユニットにおいては発光部材の個数を低減させ、且つ均一な照明強度を得ることを目的として、導光部材を用い、発光部材から放射される光を導光部材に入射させ所望の方向に光を導光させる構成のものが知られている。
【０００４】
図６はかかる従来の線状光源ユニットの構成を示す図であり、（ａ）は斜視図、（ｂ）は上面図、（ｃ）は正面図、（ｄ）は後述する発光部材１３３側から見た側面図である。図６において、線状光源ユニット１１０は透明樹脂等よりなる長尺状の導光部材１２０、ＬＥＤよりなる発光部材１３３および反射部材１２４を有している。ここで図６（ａ）においては便宜上反射部材１２４の図示を省略してある。
【０００５】
導光部材１２０は光射出面として機能する第１の側面１２０ａ、第１の側面に対向する第２の側面１２０ｂを有し、前記発光部材１３３に対向する導光部材１２０の端面１２０ｃから他方の端面１２０ｄに向うに従い、その第２の側面１２０ｂは、上記第１側面１２０ａとの間の距離が次第に縮小する傾斜面１２０ｂ１を有するとともに、導光部材１２０の厚さ方向（または前記端面１２０ｃ）に平行な方向に伸びる断面が円弧形状の複数の凹溝１２２が形成され凹凸面となっている。これら第１の側面１２０ａおよび、凹溝１２２も含め第２の側面１２０ｂは鏡面仕上げとなっている。発光部材１３３はＬＥＤよりなり、図示しないマザーボードから立ち上がるＬＥＤ基板１３１に保持され、図示しない発光部材駆動回路と導通している。その発光部材駆動回路から所定の駆動電流が発光部材１３３に流されると、発光部材１３３が発光する。
【０００６】
【発明が解決しようとする課題】
この線状光源ユニット１１０においては、発光部材１３３の発光による光が前記端面１２０ｃから導光部材１２０内に入るが、図６（ｂ）に示すように、その一部は第２の側面１２０ｂの前記凹溝１２２に入射して全反射され、第１の側面１２０ａから外部に出射する。一方、導光部材１２０内に入った光のうち、直接に第１の側面１２０ａに入射するものは大部分が全反射により導光部材１２０内に反射される。このようにして、導光部材１２０内に入射した光は前記凹溝１２２の頂部付近において最も強い反射を示して、外部に出射する。このため、凹溝１２２のある部分とない部分で対応する出射光の強弱がはっきりと分かれてしまう。
【０００７】
すなわち、図７に示すように導光部材１２０の出射光は長手方向に輝度が周期的に変化し、縞状の輝度ムラを生ずる。なお図７において、横軸は端面１２０ｃから１２０ｄに至る出射面である第１の側面１２０ａの長手方向の位置を示し、縦軸は当該側面１２０ａから外部に出射する照明光の輝度を示す。なお、図６に示す反射部材１２４は金属板材等よりなり、前記第１の側面１２０ａ以外の側面に近接、対向して配設され、第１の側面１２０ａ以外の側面を透過して外部に出射した光を反射により導光部材１２０の内部に戻す作用をなす。
【０００８】
線状光源１１０から出射する照明光に、上記のような輝度ムラがあるのは、例えばスキャナーのように線状光源を直接に照明手段として、使用する場合には読み取り精度が低下し、好ましくないのは当然であるが、この他に、かかる線状光源と導光板とが組み合わされて構成される面状光源については、以下に述べるような問題がある。図８は図６に示すような従来の線状光源ユニット１１０と面状導光板１３０を直接結合して構成された面状光源１４０ユニットを示す斜視図である。ここで、面状導光板１３０の一方の主面１３０ａは出光面として機能し、鏡面仕上げがなされている。前記一方の主面１３０ａに対向する他方の主面１３０ｂは拡散面若しくは反射面であり、シボ等の粗面加工がなされている。
【０００９】
線状光源ユニット１２０の出光面である第１の側面１２０ａは面状導光板１３０の１つの側面に結合され、前記第１の側面１２０ａからの出射光は、面状導光板１３０内に入り、面状導光板１３０の出光面である一方の主面１３０ａと拡散面である他方の主面１３０ｂの間で反射を繰り返しながら全体に行き渡るよう進行すると同時に、一方の主面１３０ａから面状の照明光１４５を出射する。この場合、線状光源ユニット１２０の第１の側面１２０ａからの面状導光板１３０への入射光そのものが、縞状の輝度ムラを有しているので、その影響が面状導光板１３０にもおよび、面状導光板１３０の一方の主面１３０ａから射出される面状の照明光１４５にも輝度ムラを生ずる。かかる輝度ムラは面状導光板１３０の線状光源ユニット１２０との接続部の近傍では特に著しい。面状導光板からの照明光にも輝度ムラが生ずると、面状光源１４０により照明される液晶パネル等の表示部材に意図しない明るさのムラを生じ、表示品質が低下する。
【００１０】
そこで、従来は以下のような対策を施す必要があった。図９は図８に示した面状光源ユニットに対策がなされた公知の改良例に係る面状光源ユニットの構成を示す図であり、（ａ）は斜視図、（ｂ）は光源１３０側から見た側面図である。図９に示すように本例の面状光源ユニット１４０においては、線状光源ユニットの導光部材１２０と面状導光板１３０の間に拡散シート等の光拡散手段１３５を設けて、この部分を通過しようとする光を拡散させて、予め均一にした光を面状導光板１３０へ導くことにより、面状導光板１３０の一方の主面１３０ａから射出される面状の照明光１４５の輝度ムラの減少を図っている。しかし、かかる面状光源１４０は、拡散シート等の拡散手段１３５を設けることにより、製造コストが上昇する。また、拡散手段１３５は光をいろいろな方向に拡散させるので、拡散光の中には面状導光板１３０へ入射しない光も生じ、結果として面状光源１４０から出射する照明光１４５の輝度のレベルを低下させる。
【００１１】
本発明は従来の長尺状の導光部材とＬＥＤ等の発光部材を備えた線状光源に関し、その出射光における上記の輝度ムラを改善することを課題とする。本発明は更に、かかる線状光源と面状導光板を組み合わせてなる面状光源において上記の拡散シート等の光拡散手段の介在を不要とし、照明光の輝度を低下させることなく、輝度ムラを改善し、製造コストの上昇を防止することも解決する。
【００１２】
【課題を解決するための手段】
上記の課題を解決するために、その第１の手段として、本発明は、第１の側面より照明光を出射する長尺状の導光部材と、該導光部材に光を入射する発光部材を備え、前記導光部材の前記第１の側面に対向する第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は前記発光部材からの入射光の方向と斜交していることを特徴とする。
【００１３】
上記の課題を解決するために、その第２の手段として、本発明は、照明光を出射する第１の側面、該第１の側面に対向する第２の側面、前記第１の側面および前記第２の側面と略直交し、水平方向に伸びてこれらの上下方向の幅を仕切る第３の側面および第４の側面を備えた長尺状の導光部材と、該導光部材の長手方向を仕切る端面より該導光部材に光を入射する発光部材を備え、前記第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は、前記第３の側面又は第４の側面に対し３０度〜６０度傾いていることを特徴とする。
【００１４】
上記の課題を解決するために、その第３の手段として、本発明は、照明光を出射する第１の側面、該第１の側面に対向する第２の側面、前記第１の側面および前記第２の側面と略直交し、水平方向に伸びてこれらの上下方向の幅を仕切る第３の側面および第４の側面を備えた長尺状の導光部材と、該導光部材の長手方向を仕切る端面より該導光部材に光を入射する発光部材を備え、前記第２の側面に、前記発光部材からの入射光を反射する複数の凹溝を設けた線状光源ユニットにおいて、前記発光部材は、Ｒ、Ｇ、ＢのＬＥＤであり、前記複数の凹溝の長手方向は、前記第３の側面又は第４の側面に対し略４５度傾いていることを特徴とする。また、上記の課題を解決するために、その第４の手段として、本発明は、前記Ｒ、Ｇ、ＢのＬＥＤは、前記第１の側面又は第２の側面に略平行又は垂直な方向に重なり合って配設されていることを特徴とする。
【００１５】
上記の課題を解決するために、その第５の手段として、本発明は、前記第１の手段乃至第４の手段のいずれかにおいて、前記第２の側面に設けた複数の凹溝の断面は略円弧形状又はＶ字形形状であることを特徴とする。
【００１６】
上記の課題を解決するために、その第６の手段として、本発明は、前記第１の手段乃至第５の手段のいずれかにおいて、面状光源ユニットの照明光を出射する平板状の面状導光板の側面に線状光源ユニットを直接結合し又は一体として、該面状導光板に前記第２の側面からの反射光を入射させることを特徴とする。
【００１７】
上記の課題を解決するために、その第７の手段として、本発明は、前記第１の手段乃至第６の手段のいずれかにおいて、前記第１の側面、前記第２の側面および前記複数の凹溝の表面は鏡面仕上げ又はシボ等の拡散処理が施されていることを特徴とする。
【００１８】
上記の課題を解決するために、その第８の手段として、本発明は、前記第１の手段乃至第７の手段のいずれかにおいて、前記第１の側面と前記第２の側面の間隔は前記発光部材から遠ざかるに従って小となることを特徴とする。
【００２２】
上記の課題を解決するために、その第９の手段として、本発明は、前記第１の手段乃至第８の手段のいずれかにおいて、前記第２の側面、又は前記第２の側面、前記第３の側面及び前記第４の側面に密着又は近接して、反射テープ又は反射板からなる反射部材を配設したことを特徴とする。
【００２３】
【発明の実施の形態】
以下に、図面に基づいて本発明の一実施の形態を説明する。本実施の形態は線状光源ユニットに関するものである。図１は本実施の形態に係る線状光源ユニットの構成を示す図であり、（ａ）は斜視図、（ｂ）は上面図、（ｃ）は正面図、（ｄ）は後述する発光部材３側から見た側面図である。図１（ａ）においては、便宜上、後述する反射部材４の図示は省略してある。図１において、１は線状光源ユニットであり、透明樹脂等よりなる長尺状の導光部材２、ＬＥＤよりなる発光部材３および反射部材４を有している。
【００２４】
導光部材２は光射出面として機能する第１の側面２ａ、第１の側面に対向する第２の側面２ｂ、第１の側面および第２の側面と略直交し、水平方向に伸びてこれらの上下方向の幅を仕切る第３の側面２ｅおよび第４の側面２ｆと、前記発光部材３と対向し、導光部材２の長手方向を仕切る一方の端面２ｃおよび該一方の端面に対向する他方の端面２ｄを有している。前記第２の側面ｂはその表面に、断面が円弧状であって、前記第３の側面２ｅ又は第４の側面２ｆに対し３０度〜６０度傾斜した方向に伸びる複数の凹溝１２が設けられている。第２の側面２ｂの複数の凹溝１２以外の平面部２ｂ１は、前記発光部材３に対向する導光部材２の端面２ｃから他方の端面２ｄに向うに従い、上記第１の側面２ａとの間の距離が次第に縮小する傾斜面となっている。前記第１の側面２ａ、第２の側面２ｂおよび複数の凹溝１２の表面は鏡面仕上げが施されている。
【００２５】
発光部材３はＬＥＤよりなり、図示しないマザーボードから立ち上がるＬＥＤ基板３１により、導光部材２の前記端面２ｃに近接、対向する位置に保持され、図示しない発光部材駆動回路と導通している。その発光部材駆動回路から所定の駆動電流が発光部材３に流されると、発光部材３が発光する。ＬＥＤからなる発光部材３としては、例えば白色ＬＥＤを用いることができる。
【００２６】
発光部材３が発光すると、その光が前記端面２ｃから導光部材２に入る。導光部材２に入った光の大部分は、直接に、又は第１の側面２ａによる反射、又は第２の側面の平面部２ｂ１と第１の側面２ａとの間での反射の後に、第２の側面２ｂに設けられた複数の凹溝１２の表面に達し、ここで全反射により、第１の側面２ａに向けて反射され、第１の側面２ａから照明光として出光する。このとき、複数の凹溝１２においては、溝の頂部付近で最も強い反射を示すので前記照明光も溝のある部分と、ない部分で、図７に示した従来例のように、もともとは光の強弱が分かれる性質がある。
【００２７】
しかし、図１に示す本実施の形態においては、複数の凹溝１２が斜めに設けられているため、あたかも溝が連続的に設けられているような効果を有し、従来例におけるような場所により照明光の強弱が分かれることが大幅に改善され、輝度ムラの少ない均一の照明光を出射させることができる。なお、凹溝１２の斜めの角度は前記第３の側面２ｅ又は第４の側面２ｆに対し３０度以下でも６０度以上でも照明の均一化のための反射効率が落ち、４５度の場合がかかる反射効率を上げ、照明光の輝度ムラをなくす上で最も望ましいということが、発明者の経験上認識されている。図２は凹溝１２の斜めの角度が略４５度の場合の前記第１の側面２ａから出光する照明光の輝度の分布を導光部材１２０の長手方向に沿って示した図である。図２において、横軸は端面２ｃから２ｄに至る出射面である第１の側面２ａの長手方向の位置を示し、縦軸は当該側面２ａから外部に出射する照明光の輝度を示す。図２に示すように、この場合、輝度は場所にかかわらず、ほとんど一定である。
【００２８】
図１に示すように反射部材４は導光部材２の第１の側面２ａ以外の側面すなわち第２の側面２ｂ、第３の側面２ｅ、第４の側面２ｆに近接して、対向して配設された断面がコ字型の金属等の被覆部材よりなり、前記第２の側面２ｂ、第３の側面２ｅ、第４の側面２ｆから外部に出射する光を反射させて、導光部材２に戻す役割をなす。これにより、外部に向かって無駄に透過する光を減らし、光路の変換効率を上げ、最終的に第１の側面２ａからの出光する照明の光量をより上げ、照明光の輝度の向上に貢献する。この場合、特に、前記凹溝１２の面に対し導光部材２の内部から入射した光の入射角が臨界角θｃ以下である場合は、全反射することなく外部に透過してしまうので、かかる透過光を反射部材４で反射させ、再利用する効果は大きい。なお、反射部材は第２の側面２ｂのみに対向して設けても、かなりの効果がある。反射部材の種類としては反射テープ等であってもよい。
【００２９】
このようにして、本実施形態に係る線状光源ユニット１はその出光面である導光部材の第１の側面２ａから、輝度ムラの少ない均一な照明光を出射することができる。従って、かかる線状光源ユニット１を直接に照明手段として用いた場合には、対象物に対し線状の照明領域において均一な明るさの照明をすることができる。例えばスキャナーにおいて、かかる線状光源ユニットを原稿に対する照明光として用い、読み取りラインの均一な明るさの照明を可能とし、従来よりも読み取りの忠実度、再現性を向上させることに寄与することができる。
【００３０】
上記のように、本実施の形態においては、導光部材２の第１の側面２ａ、第２の側面２ｂおよび複数の凹溝１２の表面は鏡面仕上げとなっているが、本発明はこれに限らず、これらの面がシボ等の拡散処理が施されている面であっても、その面の反射作用により、上記と同様の効果を有する。又、前記複数の凹溝１２の断面形状は図１に示したように円弧形状に限るものでなく、Ｖ字形状であっても、溝の連続性により、上記とほぼ同様の反射作用をなし、ほぼ同様の効果を有する。
【００３１】
次に、本発明によれば、かかる線状光源ユニットと面状の導光板を組み合わせることにより、液晶パネル等面状の表示装置のバックライトその他の照明手段として用いられる優れた面状光源ユニットを構成することができる。図３は本発明の他の一つの実施の形態として、線状光源を用いたかかる面状光源の構成を示す図であり、（ａ）は斜視図、（ｂ）は側面図である。図３において１０は面状光源ユニット、７は面状導光板である。前記面状光源ユニット１０は前記面状導光板７と図１に示した線状光源ユニット１が組み合わされてなり、線状光源ユニット１に関する構成部材の記号は図１と同様である。ここで、面状導光板７の平面形状は四角形であり、一方の主面７ａは出光面として機能し、鏡面仕上げがなされている。前記一方の主面７ａに対向する他方の主面７ｂは拡散面又は反射面であり、シボ等の粗面加工でドットが形成されている。
【００３２】
線状光源ユニット１の出光面である第１の側面２ａは面状導光板７の１つの側面に結合され、前記第１の側面２ａからの出射光は、面状導光板７内に入り、面状導光板７の出光面である一方の主面７ａと拡散面である他方の主面７ｂの間で反射を繰り返しながら全体に行き渡るよう進行しながら、一方の主面７ａから面状の照明光１１を出射する。この場合、線状光源ユニット１の第１の側面１ａからの面状導光板７への入射光そのものが、輝度ムラがほとんどない均一な輝度を有しているので、その影響が面状導光板７にもおよび、面状導光板７の一方の主面７ａからは輝度ムラのほとんどない均一な明るさの照明光１１が出射される。
【００３３】
このようにして、本実施の態様に係る面状光源ユニット１０によれば、図９に示した従来の面状光源ユニット（１４０）のように線状光源ユニットと面状導光板の間に拡散シート等の拡散部材（１３５）を介在させることなく構成して輝度ムラのほとんどない均一な明るさの照明光が得られるので、拡散部材を介在させる分だけ従来より製造コストの低減ができる。また、拡散手段に起因する照明光の輝度の低下もなくなり、従来よりも明るい照明が可能となる。
【００３４】
図３に示した面状光源ユニット１０の場合は、透明樹脂等より線状光源ユニット１の導光部材２と面状導光板７を別々に形成した後、接着剤等により結合して一体するのであるが、本発明はこれに限らず、モールド加工等によりこれらを一体として形成することもできる。
【００３５】
ところで、図１に示す線状光源１、又は図３に示す面状光源ユニット１０においては発光部材３は１個のＬＥＤよりなっていたが、本発明はこれに限らず、発光部材を一列に配列したＲ、Ｇ、ＢのＬＥＤとすることができる。図４は発光部材３として、一列に配列したＲ、Ｇ、ＢのＬＥＤを備えた線状光源ユニット（１）の構成を示す斜視図である。図４に示すように、発光部材３を構成するＲ、Ｇ、ＢのＬＥＤ３ｒ、３ｇ、３ｂが線状光源ユニットの端面２ｃに対向する位置において、ＬＥＤ基板３１に支持されて、第１の側面２ａに垂直な方向に一列に配列されている。
【００３６】
図示しない発光部材駆動回路からＲ、Ｇ、ＢのＬＥＤ３ｒ、３ｇ、３ｂに個別に所定の駆動電流が供給されると、ＬＥＤ３ｒ、３ｇ、３ｂはそれぞれ個別にＲ、Ｇ、Ｂの色で発光し、その光が前記端面２ｃから導光部材２に入る。ＬＥＤ３ｒ、３ｇ、３ｂがこのような配列であると第２の側面２ｂに対する入射角の垂直方向の成分は各色とも略同一となり、導光部材２に入ったそれぞれの色の光はすでに説明したのと同様の原理により、各色とも略同一の条件で光路変換されて導光部材２の第１の側面２ａから輝度ムラのない照明光が出射する。かかるＲ、Ｇ、Ｂのそれぞれの色の照明光は、必要に応じ、それぞれ、単独に又は複数の色を同時に出射させて、対象物を照明することができる。これにより、輝度ムラのない種々の色調の照明が可能となる。
【００３７】
次に、図５は図４に示した線状光源ユニットの変型例を示す図であり、（ａ）は正面図、（ｂ）は発光部材３側から見た側面図である。図５に示すように、発光部材３を構成するＲ、Ｇ、ＢのＬＥＤ３ｒ、３ｇ、３ｂが導光部材２の端面２ｃに対向する位置において、ＬＥＤ基板３１に支持されて、第１の側面２ａに平行な方向に一列に配列されている。上記と同様にして、ＬＥＤ３ｒ、３ｇ、３ｂはそれぞれ個別にＲ、Ｇ、Ｂの色で発光し、その光が前記端面２ｃから導光部材２に入る。ＬＥＤ３ｒ、３ｇ、３ｂがこのような配列であると、第２の側面２ｂに対する入射角の水平方向の成分は全体的に各色とも略同一となり、導光部材２に入ったそれぞれの色の光は各色とも略同一の条件で光路変換されて、導光部材２の第１の側面２ａから輝度ムラのない照明光として出射する。このようにして本例に係る線状光源１も図４に示した線状光源（１）と同様の効果を有する。
【００３８】
【発明の効果】
以上に述べたように本発明によれば、長尺状の導光部材と、ＬＥＤ等の発光部材を備えた線状光源において、出射光の輝度ムラを改善し、均一な明るさの照明を可能とすることができる。本発明は更に、かかる線状光源と面状導光板を組み合わせてなる面状光源において、拡散シート等を介在させる必要をなくし、照明光の輝度を低下させることなく、輝度ムラを改善し、製造コストの上昇を防止することができる。
【図面の簡単な説明】
【図１】本発明の一実施の形態に係る線状光源ユニットの構成を示す図である。
【図２】図１に示す線状光源ユニットが出射する照明光の輝度の分布を示す図である。
【図３】図１に示す線状光源ユニットを用いた面状光源ユニットの構成を示す図である。
【図４】本発明の他の一つの実施の形態に係るＲ、Ｇ、ＢのＬＥＤを用いた線状光源ユニットの構成を示す図である。
【図５】図４に示す線状光源ユニットの変型例の構成を示す図である。
【図６】従来の線状光源ユニットの構成を示す図である。
【図７】図６に示す線状光源ユニットが出射する照明光の輝度の分布を示す図である。
【図８】図６に示す線状光源ユニットを用いた面状光源ユニットの構成を示す図である。
【図９】図８に示す面状光源ユニットに係る公知の改良例の構成を示す図である。
【符号の説明】
１  線状光源ユニット
２  導光部材
２ａ  第１の側面
２ｂ  第２の側面
３  発光部材
３ｒ  ＲのＬＥＤ
３ｇ  ＧのＬＥＤ
３ｂ  ＢのＬＥＤ
４  反射部材
７  面状導光板
１０  面状光源ユニット
１０ａ  第１の主面
１０ｂ  第２の主面
１１  照明光
１２  凹溝
３１  ＬＥＤ基板
【図１】
0004404424.tif 000002
【図２】
0004404424.tif 000003
【図３】
0004404424.tif 000004
【図４】
0004404424.tif 000005
【図５】
0004404424.tif 000006
【図６】
0004404424.tif 000007
【図７】
0004404424.tif 000008
【図８】
0004404424.tif 000009
【図９】
0004404424.tif 000010